(57)【特許請求の範囲】
【請求項１】
オーディオ信号が記録されている記録媒体が装着され、該オーディオ信号を再生する再生装置本体と、該再生装置本体を操作するための該再生装置本体とコードで接続されたリモートコマンダと、再生されたオーディオ信号を聴くためのヘッドホンセットとから構成されている携帯型オーディオ装置において、
前記リモートコマンダは薄い円盤状の形状であると共に、
前記再生装置本体を制御するための制御手段と、
前記制御手段によって制御され、再生された前記オーディオ信号を前記ヘッドホンセットに送信するための無線送信装置と、
前記再生装置本体を使用する使用者の着衣に装着するための取付金具とを備え
前記取付金具は基本操作ボタンとは反対側の周辺部に取付けられており、
前記ヘッドホンセットは前記無線送信装置からの無線オーディオ信号を受信できる無線受信装置を備える
ことを特徴とする携帯型オーディオ装置。
【請求項２】
前記リモートコマンダ内にラジオチューナと電源が内蔵されていることを特徴とする請求項１に記載の携帯型オーディオ装置。
【請求項３】
前記リモートコマンダ内に再生オーディオ信号を聴取する機能とは無関係の時計、万歩計及び或いはページャーが内蔵されていることを特徴とする請求項１に記載の携帯型オーディオ装置。
【請求項４】
前記リモートコマンダ内に外部機器に電源を供給するためのバッテリが内蔵されていることを特徴とする請求項１に記載の携帯型オーディオ装置。
【発明の詳細な説明】
【０００１】
【発明の属する技術分野】
本発明は、小型の携帯できる形態のコンパクトカセットテーププレーヤ、ミニディスク（ＭＤ）装置などの携帯型オーディオ装置、特にリモートコマンダ或いはリモートコントローラ（以下、「リモートコマンダ」と記す）を備えた携帯型オーディオ装置に関するものである。
【０００２】
【従来の技術】
先ず、従来技術の携帯型オーディオ装置を図を参照しながら説明する。
図８は従来技術の携帯型オーディオ装置の一つであるコンパクトカセットテーププレーヤの概念図、そして図９は図８に示したコンパクトカセットテーププレーヤを携帯して使用中の状態を示す概念図である。
【０００３】
現在、一般的な携帯型オーディオ装置、例えば、ウォークマン（出願人の商標）のようなコンパクトカセットテーププレーヤ１００は、図８に示したように、オーディオ信号が既に記録されている記録媒体であるカセットテープを装着し、これを磁気再生する再生装置本体１１０と、この再生装置本体１１０に接続され、これを操作するためのリモートコマンダ１２０と、このリモートコマンダ１２０に接続され、再生されたオーディオ信号を聴くためのヘッドホンセット１３０とから構成されている。
【０００４】
使用者、特に１０代、２０代のヤングマンの使用者は、流行に敏感であり、服装も主としてＴシャツやトレーナーを着用していて、前記のような構成のコンパクトカセットテーププレーヤ１００を装着する場合には、通常、図９に示したように、前記再生装置本体１１０は腰ベルトに掛け、或いはバッグに収納して携帯し、前記リモートコマンダ１２０はヘッドホンセット１３０と再生装置本体１１０との間でぶら下げ、或いはスーツやシャツを着用している場合は、前記リモートコマンダ１２０の裏側に取り付けられているクリップ機構でスーツやシャツのポケットなど、上半身の着衣に固定する装着スタイルを採って再生装置本体１１０を操作し、使用している。
【０００５】
【発明が解決しようとする課題】
しかし、いずれの装着スタイルも、ヘッドホンセット１３０とリモートコマンダ１２０との間のコード１４０の存在のため前記装着スタイル以外の装着スタイルは採ることができない。
また、現在の一般的な装着スタイルのように、シャツの胸元のポケットにクリップで装着した場合、リモートコマンダ１２０自体が重くなると、ポケット部分が垂れ下がるなど、その重量を上半身で、特にぶら下げ型ヘッドホンセットで聴取している場合は、耳に重量感を感じることになり、不快感が生じる。近年、特に、リモートコマンダ１２０による操作が複雑化し、リモートコマンダ１２０に組み込まれている液晶表示画面も大型化すればするほど、また、操作ボタン数も増加すればするほど、リモートコマンダ１２０の重量が増し、その重さが装着スタイルを悪化させ、そして不快感を増大して使用者、特に若年層の使用者はこれを問題視し出すようになっている。
【０００６】
本発明は、これらの課題を解決しようとするものであって、たとえリモートコマンダが大型化し、重くなっても、装着スタイルに悪影響を与えず、前記不快感も与えない、そしてリモートコマンダに新たな機能も付加できる携帯型オーディオ装置を得ることを目的とする。
【０００７】
【課題を解決するための手段】
従って、請求項１に記載の発明では、オーディオ信号が記録されている記録媒体が装着され、そのオーディオ信号を再生する再生装置本体と、その再生装置本体とコードで接続されこれを操作するためのリモートコマンダと、前記再生装置本体から再生されたオーディオ信号を聴くためのヘッドホンセットとから携帯型オーディオ装置を構成し、前記リモートコマンダに使用者の着衣に装着するためのフックを固定し、かつそのリモートコマンダから前記ヘッドホンセットへ前記再生装置本体から再生されたオーディオ信号を無線送信するための無線送信装置とその無線送信装置用電源とを組み込み、前記ヘッドホンセット内には、前記無線送信装置からの無線オーディオ信号を受信できる無線受信装置とその無線受信装置用電源とを組み込んだことを特徴としている。
【０００８】
そして、請求項２に記載の発明では、前記リモートコマンダ内にラジオチューナと電源が内蔵されていることを特徴とする。
【０００９】
そして更にまた、請求項３に記載の発明では、前記請求項１に記載の発明において、リモートコマンダに再生オーディオ信号を聴取する機能とは無関係の時計、万歩計及び或いはページャーを内蔵させることを特徴とする。
【００１０】
最後の請求項４に記載の発明では、前記請求項１に記載のヘッドホンセットに再生オーディオ信号を聴取する機能とは無関係の電源を必要とする装置を内蔵させ、そして前記リモートコマンダに電池を内蔵させ、前記装置の電源として前記リモートコマンダの前記電池から供給し、再生装置本体に内蔵の電池から供給しないように構成したことを特徴とする。
【００１１】
このため、請求項１に記載の発明の携帯型オーディオ装置によれば、リモートコマンダがたとえ重くても、スタイル良く装着することができる。
そして請求項２に記載の発明の携帯型オーディオ装置によれば、前記の作用効果の他、リモートコマンダ単体でも、単独で小型ラジオ受信装置として使用することができる。
そして更にまた、請求項３に記載の発明の携帯型オーディオ装置によれば、およそ再生オーディオ信号を聴取する機能とは関係が薄い機能を付加でき、兼用することができる。
最後の請求項４に記載の発明の携帯型オーディオ装置によれば、再生オーディオ信号を聴くための基本機能以外の電源を必要とする機能を付加する場合に、再生装置本体から電源を供給することなく、リモートコマンダの電池から供給でき、従って、オーディオ信号の再生時間を犠牲にすることなく、どのような付加機能を付加するかの検討を行うことができる。
【００１２】
【発明の実施の形態】
以下、図を参照しながら本発明の実施形態の携帯型オーディオ装置を説明する。なお、以下のいずれの実施形態の携帯型オーディオ装置も、その範疇に属するコンパクトカセットテーププレーヤを採り挙げて説明する。
図１はコンパクトカセットテーププレーヤの構成を示す概念図、図２は図１に示したコンパクトカセットテーププレーヤの内のリモートコマンダの構成図、図３は図１に示したコンパクトカセットテーププレーヤを携帯して使用中の状態を示す概念図、図４は他の形態のコンパクトカセットテーププレーヤに於けるリモートコマンダの正面図、図５は図４に示したリモートコマンダの裏面図、図６は本発明のコンパクトカセットテーププレーヤの構成を示す概念図である。
【００１３】
先ず、図１乃至図３を参照しながら、コンパクトカセットテーププレーヤを説明する。
図１において、符号１０は全体としてコンパクトカセットテーププレーヤを指す。このコンパクトカセットテーププレーヤ１０は、オーディオ信号が記録されている記録媒体であるコンパクトカセットテープが装着され、そのオーディオ信号を再生する再生装置本体１１と、その再生装置本体１１にコード１４を以て接続され、これを操作するためのリモートコマンダ１２と、そのリモートコマンダ１２にコード１５以て接続され、再生されたオーディオ信号を聴くためのヘッドホンセット１３とから構成されている。
【００１４】
前記リモートコマンダ１２は、比較的厚みが薄い円盤状のケース１２０１から構成されており、図２に示したように、そのケース１２０１の中には前記再生装置本体１１を制御するための制御回路が内蔵されており、そしてケース１２０１の表面には前記制御回路に接続され、これを制御する押しボタン形式の基本操作ボタン１２１０が配設されている。この基本操作ボタン１２１０は、例えば、コンパクトカセットテープを所定の速度で双方向に走行させ、それに記録されているオーディオ信号を再生させるためのプレイボタン１２１１、コンパクトカセットテープを早送りするためのファストフォワード（ＦＦ）ボタン１２１２、コンパクトカセットテープを巻き戻すための巻き戻し（ＲＥＷ）ボタン１２１３、そして走行中のコンパクトカセットテープを停止させるストップボタン１２１４が配設されている。
【００１５】
また、ケース１２０１の周縁部には、前記各操作ボタンが動作状態を保持させるためのスライド式ホールドスイッチ１２１５、再生オーディオ信号の音量を制御するための音量摘み１２１６、ヘッドホンセット１３のコード１５のプラグ１５０１を接続するためのジャック１２１７が所定の配列、間隔で配設されており、そして前記再生装置本体１１にリモートコマンダ１２を接続するためのコード１４が前記基本操作ボタン１２１０の巻き戻しボタン１２１３部分から導出されている。
【００１６】
前記リモートコマンダ１２の前記ストップボタン１２１４と音量摘み１２１６との間の周縁部に取付け金具１６が固定されており、この取付け金具１６に、例えば、キーホルダーに用いられるフック１７が取り付けられている。このフック１７の大きさは、例えば、ズボンのベルトループやバッグのファスナー金具に引っ掛けることができる大きさのものでよい。
前記リモートコマンダ１２と前記ヘッドホンセット１３との間を接続する前記コード１５の長さは、両者間をゆとりをもって接続できる長さ、例えば、少なくとも上半身以上の長さとする。
【００１７】
以上のようにコンパクトカセットテーププレーヤ１０を構成することにより、図２に示したように、使用者は再生装置本体１１は、例えば、ズボンのベルトに、リモートコマンダ１２はズボンのベルトループに前記フック１７を以て引っ掛けることができ、ほぼ腰の高さ位置の着衣にぶら下げて装着することができる。しかも、取付け金具１６及びフック１７は前記基本操作ボタン１２１０とは反対側の周縁部に取り付けられているため、腰部に当てた片手の指が自然に基本操作ボタン１２１０の位置に対応し、操作が極めて容易に、しかも片手で行うことができる。
そして何よりも、使用者、特に１０代、２０代のヤングマンの使用者が流行にのって着用している服装を阻害することなく、スタイル良く装着することができる。
【００１８】
次に、図４及び図５を参照しながら、他の形態のコンパクトカセットテーププレーヤ２０を説明する。なお、この図４にはコンパクトカセットテーププレーヤ１０の再生装置本体１１とヘッドホンセット１３とに相当する同様の再生装置本体とヘッドホンセットとは示していない。
このコンパクトカセットテーププレーヤ２０のリモートコマンダ２２内には、ＡＭ／ＦＭラジオチューナ２８と、これに電力を供給するための電池、例えば、単４乾電池からなる電源２９が内蔵されている。この電源２９の切替えスイッチ２９１０がケース２２０１の周縁部に配設されている。この切替えスイッチ２９１０はＡＭ／ＦＭラジオチューナ側Ｔとテープ再生側Ｒとの切替えを行うスライド式のスイッチであって、前記電源２９をオンオフするものである。つまり、ＡＭ／ＦＭラジオチューナ２８を作動させてラジオを受信し、聴く場合には、電源２９を投入し、テープを再生する場合には、電源２９をオフする。
【００１９】
このリモートコマンダ２２の基本操作ボタン２２１０もプレイボタン２２１１、ＦＦボタン２２１２、ＲＥＷボタン２２１３、そしてストップボタン２２１４とから構成されている。
基本操作ボタン２２１０と前記ＡＭ／ＦＭラジオチューナ２８との中間部の周縁部に取付け金具２６とこの取付け金具２６に係合したフック２７とが取り付けられている。
【００２０】
取付け金具２６とフック２７とが取り付けられているケース２２０１のほぼ反対側には、再生装置本体１１にコード２４を介してリモートコマンダ２２を接続するためのプラグ２４０１を挿入することができるジャック２２１８が配設されている。
また、このジャック２２１８と基本操作ボタン２２１０との中間部のケース２２０１の周縁部には、ヘッドホンセット１３のコード２５の先端部に接続されているプラグ２５０１を挿入でき、リモートコマンダ２２にヘッドホンセット１３を接続するためのジャック２２１７が配設されている。
【００２１】
図５に示したように、前記電源２９を構成する電池を収納するための若干円弧状に膨出した電池収納部２９０２がケース２２０１の裏面に形成されている。また、この電池収納部２９０２の上方近傍にＡＭ／ＦＭラジオチューナ２８のＡＭ、ＦＭモノーラル、ＦＭステレオの切替えを行えるスライド式のバンド切替えスイッチ２８１０と、電池収納部２９０２の下方にＡＭ／ＦＭラジオチューナ２８のダイヤル調整摘み２８２０が配設されている。
【００２２】
以上のようにコンパクトカセットテーププレーヤのリモートコマンダ２２を構成することにより、前記図１のコンパクトカセットテーププレーヤ１０と同様に、使用者は再生装置本体１１を、例えば、ズボンのベルトに、本リモートコマンダ２２はズボンのベルトループに前記フック２７を以て引っ掛けることができ、ほぼ腰の高さ位置の着衣にぶら下げて装着することができる。しかも、取付け金具２６及びフック２７は前記基本操作ボタン２２１０とは反対側の周縁部に取り付けられているため、腰部に当てた片手の指が自然に基本操作ボタン２２１０の位置に対応し、操作が極めて容易に、しかも片手で行うことができる。そして使用者が流行にのって着用している服装を阻害することなく、スタイル良く装着することができる。
この実施形態のコンパクトカセットテーププレーヤ２０のリモートコマンダ２２で特筆すべきことは、リモートコマンダ２２単体でも、単独で小型ラジオ受信装置として使用することができる。従って、ラジオを受信する場合には、必要に応じて、再生装置本体１１をリモートコマンダ２２から外しておくことができる。
【００２３】
次に、図６を参照しながら、本発明のコンパクトカセットテーププレーヤについて説明する。図６に於いてリモートコマンダ３２は、無線送信装置３８と、電池、例えば、単４乾電池からなる電源３９が内蔵されており、無線送信装置３８をオンオフさせるオンオフスイッチ３８１０がケース３２０１の表面に配設されている。また、ケース３２０１の周縁部には送信アンテナ３８２０が配設されている。
また、無論のことではあるが、前記各例のリモートコマンダと同様に、ケース３２０１の周縁部に取付け金具３６とフック３７、再生装置本体１１に接続されるコード３４の先端部に接続されているプラグ３４０１を接続するためのジャック３２１８が配設されている。
一方、ヘッドホンセット３３には、一対のイヤーパッド３３１０の少なくとも一方に無線受信装置３４が内蔵されていて、これに接続されている受信アンテナ３４１０が設けられている。
【００２４】
このような構成のコンパクトカセットテーププレーヤは、オンオフスイッチ３８１０をオンに切り換えることで無線送信装置３８が作動し、再生装置本体からの再生オーディオ信号を無線でヘッドホンセット３３へ送信することができ、受信アンテナ３４１０で受信し、無線受信装置３４で復調してヘッドホンセット３３のイヤーパッド３３１０でオーディオ信号を聴くことができる。
【００２５】
この構成のコンパクトカセットテーププレーヤでは、再生装置本体に無線送信装置を搭載する必要がなく、従って、その再生装置本体を安価に製造でき、リモートコマンダとヘッドホンセットとをそれぞれ無線送信装置３８、無線受信装置３４を内蔵したものに取り替えることで全てのコンパクトカセットテーププレーヤを無線機能をもったものにすることができる。
【００２６】
この他、図示していないが、本発明のリモートコマンダはいずれも腰部で支持できる構造で構成されているため、リモートコマンダ自体を大型化でき、大型化できれば、そのケース内に時計、万歩計、ページャーなどの音楽を聴く行為とは直接関係の薄い機能を付加することができる。
【００２７】
更に、本発明のリモートコマンダに電池を内蔵させておけば、バッテリーボックスとしての機能を持ち、ヘッドホンセットに発光素子（ＬＥＤ）を付加しておけば、音楽に同調してＬＥＤが発光するヘッドホンセットとなり、音楽を聴くための基本機能以外の電源を必要とする機能を付加した場合に、再生装置本体から電源を供給することなく、リモートコマンダから電源を供給することができる。従って、再生装置本体の再生時間を犠牲にすることなく、付加機能を企画、設計することができる。
【００２８】
前記本発明の実施形態では、携帯型オーディオ装置の一つとしてコンパクトカセットテーププレーヤを採り挙げて説明したが、本発明はコンパクトカセットテーププレーヤに限定されるものではなく、記録媒体として、ミニディスク（ＭＤ）や半導体記憶装置を用いたプレーヤなどにも適用できることを付言しておく。
【００２９】
【発明の効果】
以上の説明から明らかなように、本発明の実施形態の携帯型オーディオ装置によれば、クリップによるリモートコマンダの装着が不可能な、現在の若者の定番ファッションスタイルであるＴシャツ、トレーナー、ハイネックなどの服装でも、容易に装着することができる。
また、リモートコマンダをベルトループなどの腰部に係合させた状態は、そのスタイルが斬新でかっこ良さを若者に訴えることができる。
更にまた、リモートコマンダをベルトループなどの腰部に係合させることができることから、リモートコマンダを比較的大型化でき、従って、その内部に付加機能を内蔵させることが容易になり、新しいリモコン文化を展開することができるなど、数々の優れた効果が得られる。
【図面の簡単な説明】
【図１】  コンパクトカセットテーププレーヤの構成を示す概念図である。
【図２】  図１に示したコンパクトカセットテーププレーヤの内のリモートコマンダの構成図である。
【図３】  図１に示したコンパクトカセットテーププレーヤを携帯して使用中の状態を示す概念図である。
【図４】  他の形態のコンパクトカセットテーププレーヤに於けるリモートコマンダの正面図である。
【図５】  図４に示したリモートコマンダの裏面図である。
【図６】  本発明のコンパクトカセットテーププレーヤに於けるリモートコマンダの正面図である。
【図７】  従来技術の携帯型オーディオ装置の一つであるコンパクトカセットテーププレーヤの概念図である。
【図８】  図７に示したコンパクトカセットテーププレーヤを携帯して使用中の状態を示す概念図である。
【符号の説明】
１０，２０，３０，４０…携帯型オーディオ装置であるコンパクトカセットテーププレーヤ、１１…再生装置本体、１２，２２，３２，４２…リモートコマンダ、１２１０，２２１０…基本操作ボタン、１３，２３，３３…ヘッドホンセット、１４…コード、１５，２５…コード、１７，２７，３７…フック、２８…ＡＭ／ＦＭラジオチューナ、２８１０…バンド切替えスイッチ、２８２０…ダイヤル調整摘み、２９，３９…電源、２９１０…切替えスイッチ、３４…無線受信装置、３４１０…受信アンテナ、３８…無線送信装置、３８１０…オンオフスイッチ、３８２０…送信アンテナ
【図１】
0004601732.tif 000002
【図２】
0004601732.tif 000003
【図３】
0004601732.tif 000004
【図４】
0004601732.tif 000005
【図５】
0004601732.tif 000006
【図６】
0004601732.tif 000007
【図７】
0004601732.tif 000008
【図８】
0004601732.tif 000009